(57)【要約】【課題】  ユーザが快適にテレビジョン画像を視聴することと安全運転を確保することとを効率的に両立させるこのできるＴＶ（テレビジョン）表示装置を提供する。【解決手段】  ＴＶ映像を静止画像として逐次取り込んで保持する記憶手段１１と、走行状況を検出するセンサ手段１３と、保持された静止画像を当該ＴＶ画面１８に逐次更新して表示する更新タイミングを、前記のセンサ検出結果に応じて設定する更新タイミング設定手段１２と、記憶手段１１に前記静止画像を逐次取り込む取込みタイミングを設定する取込みタイミング設定手段１４と、を有する。【選択図】      図１
2005303636.tif 000002
【特許請求の範囲】
【請求項１】
車両に搭載されたチューナからのテレビジョン映像を静止画像として逐次取り込んで保持する記憶手段と、
前記車両の走行状況を検出するセンサ手段と、
前記記憶手段に逐次保持された前記静止画像を当該テレビジョン画面に逐次更新して表示する更新タイミングを、前記センサ手段による前記の検出結果に応じて、早くまたは遅く設定する更新タイミング設定手段と、
を備えることを特徴とするテレビジョン表示装置。
【請求項２】
前記記憶手段に前記テレビジョン映像を静止画像として逐次取り込む取込みタイミングを設定する取込みタイミング設定手段をさらに有することを特徴とする請求項１に記載のテレビジョン表示装置。
【請求項３】
前記センサ手段は、前記車両の走行状況の１つである該車両の速度を検出する速度センサ及び／又は該走行状況の他の１つである該車両の加速度を検出する加速度センサからなり、前記更新タイミング設定手段は、その検出した速度及び／又は加速度が小または大になるにつれてそれぞれ、前記更新タイミングを早くまたは遅く設定することを特徴とする請求項１に記載のテレビジョン表示装置。
【請求項４】
前記記憶手段に保持された前記静止画像か、または、前記チューナから直接得たテレビジョン映像か、のいずれか一方を選択して前記テレビジョン画面に送出する選択スイッチを有し、該選択スイッチは、前記車両が走行中か停車中かに応じてそれぞれ、前記静止画像または前記テレビジョン映像を選択して送出することを特徴とする請求項１に記載のテレビジョン表示装置。
【請求項５】
前記記憶手段は、前記チューナからのテレビジョン映像を静止画像として逐次取り込む複数の記憶装置からなると共に、該複数の記憶装置にそれぞれ保持された前記静止画像を順次繰り返し切り替えて前記テレビジョン画面に向けて送出する切替え部と協働することを特徴とする請求項２に記載のテレビジョン表示装置。
【請求項６】
前記更新タイミング設定手段は静止画像更新タイミング生成部からなり、該静止画像更新タイミング生成部は前記切替え部による切替えを複数種の更新間隔で行わせると共に、該複数種の更新間隔のうちのいずれかを、前記センサ手段による前記の検出結果に応じて決定することを特徴とする請求項５に記載のテレビジョン表示装置。
【請求項７】
前記取込みタイミング設定手段は静止画像取込みタイミング生成部からなり、該静止画像取込みタイミング生成部は前記テレビジョン映像を、前記複数の記憶装置に対し、所定の取込み間隔で前記静止画像として順次繰り返し取り込ませることを特徴とする請求項５に記載のテレビジョン表示装置。
【請求項８】
前記所定の取込み間隔は、前記更新タイミングよりも早い予め定めた一定の時間間隔であることを特徴とする請求項７に記載のテレビジョン表示装置。
【請求項９】
前記所定の取込み間隔は、前記テレビジョン映像が非所望の映像であることが検知されたときその検知時点より、その長さが増大されることを特徴とする請求項７に記載のテレビジョン表示装置。
【請求項１０】
前記テレビジョン映像の中から文字情報の存在を認識する文字情報認識部を有し、該文字情報認識部が該文字情報の存在を検知したとき、前記の取込みを即時スタートすると同時に前記の更新も即時スタートすることを特徴とする請求項７に記載のテレビジョン表示装置。
【請求項１１】
前記文字情報認識部は、前記文字情報が変化したことを検知する差分算出手段を有し、該変化を検知する毎にその変化後の文字情報に対する前記取込みの即時スタートを行うことを特徴とする請求項１０に記載のテレビジョン表示装置。
【請求項１２】
前記複数の記憶装置内において読出し未了の静止画像が残留しているときにこれを検出する読出し未了検出手段を有し、前記切替え部はその読出し未了となっている記憶装置より当該静止画像の読出しを続行させることを特徴とする請求項５に記載のテレビジョン表示装置。
【請求項１３】
前記の読出し未了の静止画像に対する読出しの続行は、前記車両が停車中であると判断する都度実行することを特徴とする請求項１２に記載のテレビジョン表示装置。
【発明の詳細な説明】
【技術分野】
【０００１】
本発明はテレビジョン（以下、ＴＶとも略称する）表示装置、特に車載用に好適なＴＶ表示装置に関する。
【背景技術】
【０００２】
近年、ＴＶ表示装置を車室内に搭載した車両が広く普及しており、一層快適なドライブを楽しむことができるようになった。しかしながら反面、車両の走行中はユーザの注意がＴＶ画面の方に向けられがちであり、安全運転でのドライブという観点からすると、必ずしも好ましいものではない。
【０００３】
そこで上記ＴＶ表示装置をオンにできるのは車両の停車中のみとし、車両の走行中はＴＶ表示装置は一切オンにできない、といった極端な提案もなされている。しかしこれでは上記の快適なドライブが全く望めなくなってしまう。
【０００４】
そこで、車両の走行中は、ＴＶ表示装置は画面表示しないものの、ＴＶ音声はＴＶスピーカからユーザに提供して音声のみを楽しんでもらう、ということが通常行われている。
【０００５】
ところが実際にはＴＶスピーカからの音声のみによる情報では不十分であり、ＴＶ画面上の映像からも情報を得たい、といったユーザからの要求も強い。例えば、野球中継の生放送中において、現在のチームの得点やストライク／ボール／アウト（ＳＢＯ）のカウント数等の情報は、ＴＶ画面上の一部に常時表示されているにも拘らず、ＴＶ音声のみを聴取しているときは実況アナウンサーがその得点やカウント数について実況報告しない限り、ユーザにとってはその情報を今知りたいにも拘らず知ることができない。
【０００６】
このような観点より車両走行中であっても、ユーザに時々ＴＶ映像の情報を静止画像として提供するようにしたＴＶ表示装置が既に多数提案されている。例えば下記の〔特許文献１〕〜〔特許文献４〕がある。
【０００７】
〔特許文献１〕は、同期信号の乱れを検定した結果に基づいて、動画像と静止画像とをＴＶ画面上で切り替える、というものである。
【０００８】
〔特許文献２〕は、上記の同期信号の乱れを検定するときの判定基準を、自車の車速と走行位置（高速道路上か等）によって変更する、というものである。
【０００９】
〔特許文献３〕は、自車の走行状態もしくはスイッチにより、ＴＶ画面上の映像表示の内容を切り替える、というものである。
【００１０】
〔特許文献４〕は、自車の走行中にはＴＶ画面上に文字放送番組を表示し、一方停車中には通常のテレビ番組に切り替える、というものである。
【００１１】
【特許文献１】特開２０００−３２４４１４号公報
【特許文献２】特開２０００−３２４４１５号公報
【特許文献３】特開平５−１９１７４９号公報
【特許文献４】特開平５−３００４８４号公報
【発明の開示】
【発明が解決しようとする課題】
【００１２】
上記特許文献１は、車両の走行中にもＴＶ映像を表示するようにしており、安全運転上好ましくない。なおこの特許文献１では、動画像から静止画像に切り替える条件を、受信電界強度が弱い場合等、ＴＶ映像の画質が劣化するとき、としている。
【００１３】
上記特許文献２は、上記特許文献１と同様である。
【００１４】
上記特許文献３において、ＴＶ画面上の映像表示の切替えは、スイッチによるかまたは自車の停車中／走行中の判定によるのみである。また、表示する静止画像は道路交通情報であるから、走行中の静止画像の更新はその道路交通情報の放送局に完全に依存しており、ユーザの好みや要求に応じて該静止画像を更新することはできない。このため、走行中にＴＶ映像から情報を得ることもできない。
【００１５】
上記特許文献４において、ＴＶ画面上の映像表示の切替えは、停車中／走行中の判定によるのみである。また、表示する静止画像は文字放送であるから、走行中における静止画像の更新はその放送局に完全に依存しており、ユーザの好みや要求に応じて該静止画像を更新することはできない。このため、走行中にＴＶ画像から情報を得ることもできない。
【００１６】
以上のような従来技術に鑑み、本発明は、走行中にキャプチャした一連のＴＶ映像の中の一部を取り出した静止画像を、車両の走行状況に応じて、早いまたは遅いタイミングで更新し、また、その静止画像を、ユーザの要求に適合したタイミングで取り込むようにしたテレビジョン表示装置を提供することを目的とするものである。
【課題を解決するための手段】
【００１７】
図１は本発明に係るＴＶ表示装置の基本構成を示す図である。
【００１８】
本図において、参照番号１０は、本発明に係るテレビジョン（ＴＶ）表示装置を表し、その特徴的な構成要素は、切替え部１５と協働する記憶手段１１と、更新タイミング設定手段１２と、センサ手段１３であり、好ましくはさらに、取込みタイミング設定手段１４を備える。なおその他の構成要素は通常のＴＶ表示装置において一般的なものであり、アンテナＡＮＴからの受信信号に対して同調処理を行うチューナ１６と、同調後の受信信号に対してオーディオ／ビデオ（ＡＶ）出力処理を行うＡＶ処理部１７と、その出力を映像表示するＴＶ画面１８および音声出力するスピーカＳＰである。
【００１９】
上述した特徴的な構成要素（１１，１２，１３，１５）を含むＴＶ表示装置１０をさらに具体的に定義すると、このＴＶ表示装置は（ｉ）車両に搭載されたチューナ１６からのＴＶ映像を静止画像として逐次取り込んで保持する記憶手段１１と、（ii）その車両の走行状況を検出するセンサ手段１３と、（iii）記憶手段１１に逐次保持された静止画像を当該ＴＶ画面１８に逐次更新して表示する更新タイミングを、センサ手段１３による上記の検出結果に応じて、早くまたは遅く設定する更新タイミング設定手段１２と、を備えて構成され、さらに好ましくは、（iv）記憶手段１３にＴＶ映像を静止画像として逐次取り込む取込みタイミングを設定する取込みタイミング設定手段１４をさらに備えて構成される。
【００２０】
上記のセンサ手段１３についてさらに詳細に規定すると、次のとおりである。すなわち、該センサ手段１３は、車両の走行状況の１つである該車両の速度を検出する速度センサ及び／又はこの走行状況の他の１つである該車両の加速度を検出する加速度センサからなる。そして上記の更新タイミング設定手段１２は、その検出した速度及び／又は加速度が小または大になるにつれてそれぞれ、上記の更新タイミングを早くまたは遅く設定するように動作する。ここで上記２つのセンサについて「及び／又は」としたのは、これらセンサのうちのいずれか一方だけでもよいことを表す。
【００２１】
かくして本発明によれば、前述した従来技術では考慮されていなかった、
・現在表示している静止画像をどのようなタイミングで更新していくか（上記の更新タイミング設定手段１２参照）、
・どのような静止画像をＴＶ映像の中から取り込むか（上記の取込みタイミング設定手段１４参照）、
といったことが、新たに考慮される。
【発明の効果】
【００２２】
本発明によれば、
・車両が低速で走行中なので、もう少し早く静止画像を更新してなるべくリアルタイムに情報を得たい、といったユーザの要求を満足する一方、
・車両が高速で運転中は、ユーザの関心をＴＶ画面から遠ざけるように、静止画像の更新はゆっくりと行い安全運転を確保する、といった利点が上記更新タイミング設定手段１２等により得られ、また
・ＴＶ画面上のニュース速報等のような文字情報は、積極的に取り込み、早くユーザに知らせ、
・一方、ユーザにとって非所望のＴＶ映像（一例としてＣＭ等）からは静止画像を取り込まない、といった便宜ならびにメモリ容量の節約を図ることが、上記取込みタイミング設定手段１４等によって可能となる。
【発明を実施するための最良の形態】
【００２３】
〔実施例１〕
図２は本発明に基づく実施例１を示す図である。なお全図を通じて、同様の構成要素には同一の参照番号または記号を付して示す。
【００２４】
本図の実施例１を説明するに当たり、後述する全ての実施例（実施例１〜実施例５）に共通する、本発明に特徴的な構成要素から説明する。
【００２５】
まず選択スイッチ２５に注目するとこれは、記憶手段１１に保持された静止画像か（ｂ端子）、または、チューナ１６から直接得たＴＶ映像（Ｓｔｖ）か（ａ端子）、のいずれか一方を選択してＴＶ画面１８に（ｃ端子より）送出する選択用のスイッチである。この選択スイッチ２５は、車両が走行中か停車中かに応じてそれぞれ、静止画像信号Ｓｓｔ（ｓｔｉｌｌ）またはＴＶ映像信号Ｓｔｖを選択して送出するものである。
【００２６】
次に記憶手段１１に注目すると該記憶手段は、チューナ１６からのＴＶ映像を静止画像として逐次取り込む複数の記憶装置２１からなると共に、これらの記憶装置２１にそれぞれ保持された静止画像を順次繰り返し切り替えてＴＶ画面１８に向けて送出する切替え部１５と協働する。
【００２７】
さらに更新タイミング設定手段１２に注目すると、この更新タイミング設定手段は静止画像更新タイミング生成部２２からなり、この静止画像更新タイミング生成部２２は前述の切替え部１５による切替えを複数種の更新間隔で行わせると共に、これら複数種の更新間隔のうちのいずれかを、センサ手段１３による検出結果に応じて決定するようにする。
【００２８】
一方取込みタイミング設定手段１４は静止画像取込みタイミング生成部２４からなり、この静止画像取込みタイミング生成部２４はＴＶ映像（Ｓｔｖ）を、複数の記憶装置２１に対し、所定の取込み間隔で静止画像として順次繰り返し取り込ませる。なお、その所定の取込み間隔（図２中、位相のずれたパルスＰ参照）は、手段１２による更新タイミングよりも早い予め定めた一定の時間間隔である。
【００２９】
ここで実施例１における静止画像更新タイミングを一例をもって説明する。
【００３０】
図３は実施例１のもとで静止画像更新タイミングの動作例を示すタイミングチャートである。なお静止画像取込みタイミング生成部２４による取込みタイミング（図２におけるパルスＰの時間間隔）は常に２秒とする（ただしこれに限るものではない）。つまり、「上」、「中」および「下」段の３つの記憶装置は、「上」→「中」→「下」→「上」→「中」→…のように２秒間隔でＴＶ画像を記憶する。
【００３１】
図３の１）欄は、車両の速度（速度センサ２３−Ｖの出力）の時刻推移を表し、２）欄は該車両の加速度（加速度センサ２３−Ａの出力）の時刻推移を表し、３）欄は静止画像更新タイミング（２２）の時刻推移を表す。
【００３２】
上記１）欄についてみると、速度が大である領域（Ａ）と小である領域（Ｂ）とに大別している。また上記２）欄についてみると、加速度が正（＋）側に大きい（Ｃ）欄（上）と、ほぼ一定に近い（Ｄ）欄と、負（−）側に大きい（Ｃ）欄（下）とに大別している。このような走行状況のもとで、次のような場合分けをして静止画像更新間隔（タイミング）Ｔ１〜Ｔ４を定めることができる。
【００３３】
・加速度が一定値以上かつ速度が一定値以上→静止画像更新間隔＝Ｔ１秒
・加速度が一定値以上かつ速度が一定値未満→静止画像更新間隔＝Ｔ２秒
・加速度が一定値未満かつ速度が一定値以上→静止画像更新間隔＝Ｔ３秒
・加速度が一定値未満かつ速度が一定値未満→静止画像更新間隔＝Ｔ４秒
（ただし、Ｔ１＞Ｔ２＞Ｔ３＞Ｔ４）
である。
【００３４】
図４は静止画像更新間隔の一例を示すテーブルであり、上記のＴ１〜Ｔ４秒は、本テーブルにおける
Ｔ１＝２０秒
Ｔ２＝１５秒
Ｔ３＝１０秒
Ｔ４＝５秒
に相当する。本テーブルの上段のＡ，Ｂと左端のＣ，Ｄは、図３における前述した領域（Ａ），（Ｂ），（Ｃ），（Ｄ）に対応する。例えば、領域（Ａ）は速度大であり領域（Ｃ）は加速度大であるから、例えば車両が高速道路上を走行中で、かつ、前方車両の追い越しに入ったような状況であるから、ユーザの関心をＴＶ画面１８からそらすように、更新間隔を２０秒と長くする。あるいは例えば、領域（Ｂ）は速度小であり領域（Ｄ）は加速度小であるから、例えば一般道路を例えば４０km／ｈ位でゆっくり定速走行しているような状況であって、ユーザがしばしばＴＶ画面１８をのぞいたとしても安全運転に支障を及ぼすような状況ではないから、更新間隔を５秒と短くする。つまり、「上」、「中」および「下」段の３つの記憶装置２１を、「上」→「中」→「下」→「上」→「中」→…のように５秒毎に切り替える。
【００３５】
以上のことをまとめて時系列的に示すと図３の３）欄のごとくなる。本欄の左端と右端は共に、車両が停車中（速度＝０）であるから、ＴＶ画像の方をＴＶ画面１８に供給していることを示す。そしてこれらの中間の走行中では、車両の速度の大きさと加速度の大きさの組み合せに応じて、図４のテーブルに従い、静止画像更新間隔を、５秒→１５秒→２０秒→…１５秒→５秒のように、生成部２２により切り替えて、静止画像を更新しながら表示する。
【００３６】
かくしてユーザは、安全運転を維持しながら、知りたい情報をＴＶ映像の中からタイムリーに得ることができる。
〔実施例２〕
【００３７】
図５は本発明に基づく実施例２を示す図である。
【００３８】
本図において注目すべき点は、静止画像取込みタイミング生成部２４からのパルスＰの出力間隔（前述した所定の取込み間隔）である。実施例２によれば、この所定の取込み間隔は、ＴＶ映像（Ｓｔｖ）が非所望の映像であることが検知されたときその検知時点より、その長さが増大される。例えば、前述の例ではその取込み間隔を２秒としたが、これを４秒とか６秒に延ばす。あるいは、その非所望の映像を取り込まないようにする。
【００３９】
ここに上記「非所望の映像」とは、その代表例がＣＭである。アナログＴＶの場合、ＴＶチューナ１６内でモノラル音声信号ＳＰｍを検出したとき「ＣＭあり」と判断し（ステレオＣＭを除く）上記生成部２４に対しパルスＰの出力間隔を拡大するよう指示する。
【００４０】
ここで実施例２における静止画像更新タイミングと静止画像取込みタイミングを一例をもって説明する。
【００４１】
図６は実施例２における静止画像の更新ならびに取込みタイミングの動作例を示すタイミングチャートである。なお図６の１），２）および３）欄は、前述した図３の１），２）および３）欄にて説明したとおりである。
【００４２】
図６では新たに４）および５）欄が追加されている。４）および５）欄はそれぞれ、画像取込みタイミング（２４）の第１モードＩおよび第２モードIIを表す。
【００４３】
第１モードＩ（第４）欄参照）において、上記非所望の映像（ここではＣＭ）が受信されているときは（ＣＭ中）、ＴＶ映像（Ｓｔｖ）を記憶装置２１にキャプチャ（取り込む）する間隔を、ＣＭ中以外のときの間隔（２秒）に比べて大幅に長くする（本図の例では１５秒）。
【００４４】
あるいは第２モードII（第５）欄参照）においては、上記非所望のＣＭを受信中は（ＣＭ中）、そのＴＶ映像を取り込まないようにする。なお、上記第１および第２のいずれのモードであっても、切替え部１５による更新タイミングはそのままでよい。
【００４５】
かくして、ユーザにとって非所望のＴＶ映像については、キャプチャの間隔を最も長めにし、あるいはキャプチャしないようにして、ユーザにとって重要ではない例えばＣＭ部分のみを凍結させ、メモリの総容量を節約することができる。
〔実施例３〕
【００４６】
図７は本発明に基づく実施例３を示す図である。
【００４７】
本図において注目すべき点は、文字情報認識部３１が導入されたことである。本実施例３によれば、ＴＶ映像の中から文字情報の存在を認識する上記の文字情報認識部３１を有し、この文字情報認識部３１が文字情報の存在を検知したとき、前述の取込みを即時スタートさせると同時に前述の更新も即時スタートさせる。
【００４８】
すなわち、ＴＶチューナ１６からのＴＶ映像信号Ｓｔｖが文字情報認識部３１に入力され、この文字情報認識部３１にて、ＴＶ画面１８の例えば上部にある文字列が含まれていることが検知された場合には（例えば「ニュース速報」等）、静止画像取込みタイミング生成部２４および静止画像更新タイミング生成部２２にそれぞれ、パルスＰｃ（capture）およびＰｕ（update）を印加する。静止画像取込みタイミング生成部２４では、文字情報認識部３１からの上記パルスＰｃをトリガとして、ＴＶ映像を静止画として記憶装置２１に保存し、静止画像更新タイミング生成部２２では、その保存した静止画像を直ちに、ＴＶ画面１８に表示する。
【００４９】
図８は実施例３における静止画像の更新ならびに取込みタイミングの動作例を示すタイミングチャートである。なお図８の１），２）および３）欄は、前述した図３の１），２）および３）欄にて説明したとおりである。
【００５０】
図８では新たに４）欄の画像取込みタイミングが追加されている。この４）欄において、「１０」は一例としての秒を表しており、この１０秒間隔でＴＶ画像（Ｓｔｖ）を各記憶装置２１に順次キャプチャ（取込み）するタイミングを切り替える。
【００５１】
上記文字情報として文字情報認識部３１が例えばニュース速報を検知したとき、その検知時点まで画像を表示していなかったとしても、静止画像更新タイミング生成部２２は即座に、その文字情報の画面に切り替える。
【００５２】
この場合、静止画像取込みタイミング生成部２４は、そのニュース速報を検知したことにより静止画像を即座に記憶装置２１に取り込む。なお文字情報の検知間隔は、図８の４）欄を参照すると、図示する１０秒よりは短いものとし、該文字情報が存在し続ける限りこれを常に取り込む。
【００５３】
かくして、ニュース速報等の文字情報が放送される都度、これを表示することができる。
〔実施例４〕
【００５４】
図９は本発明に基づく実施例４を示す図である。
【００５５】
本図において注目すべき点は、図７に示す文字情報認識部３１に加えて、差分算出手段３２が導入されたことである。すなわち本実施例４は、前述の文字情報が変化したことを検知する上記差分算出手段３２を有し、その変化を検知する毎にその変化後の文字情報に対する前記取込みの即時スタートを行うことを特徴とするものである。
【００５６】
この場合、文字情報認識部３１は、ＴＶ画面１８の一部（例えば上部）に文字情報が表示されたことを検知したならば、「フラグ」を立てるようにする。そしてこのフラグが立っている間は常に、表示されている文字情報の変化を検知するようにする。つまり、直前の表示文字情報と今表示される文字情報との間に差分があるかないかを、上記差分算出手段３２によりチェックする。
【００５７】
上記差分が生じた場合には、つまりこれまでの表示文字情報が新たな文字情報へ変化した場合には、この新たな文字情報を含むＴＶ映像信号Ｓｔｖを記憶装置２１に取り込む。以降、新たな文字情報が出現する都度、順に取り込んでいく。一方走行中の更新タイミングは、前述のとおり速度と加速度の組合せに応じて決定される（図１０参照）。
【００５８】
図１０は実施例４における静止画像の更新ならびに取込みタイミングの動作例を示すタイミングチャートである。なお図１０の１）および２）欄は、図３の１）および２）欄にて説明したとおりであるが、図１０の３）欄は×印を含む点で、図３の３）欄とは異なる。この×印は、切替え部１５による切替えを行わないことを表す。
【００５９】
さらに図１０の４）欄は、静止画像取込みタイミング生成部２４による画像取込みタイミングを示し、本図の例では「１０」秒間隔でＴＶ映像（Ｓｔｖ）を、静止画像として、記憶装置２１に保存する。さらに同図の５）欄は、前述した「フラグ」のオン／オフの様子を示す。
【００６０】
再び図１０の３）欄に注目すると、ニュース速報の検知時は、それまでの画像を表示していなくても即時画像を切り替え、上記フラグが立っている間（オン）は、ニュース速報の第２画面目以降が表示される毎に、表示を切り替える。また該フラグが落ちる（オフ）と、前述した実施例１と同じ要領で画像を切り替える。
【００６１】
また図１０の４）欄に注目すると、上記ニュース速報の検知により、即時記憶装置２１に該速報を記憶する。ただし文字検出間隔は、４）欄の１０秒より短いものとする。そして上記フラグが立っている間（オン）は、ニュース速報を検知したとき以外、画像の取込みは行わない。
【００６２】
最後に図１０の５）欄に注目すると、ニュース速報の検知により上記フラグが立つ（オン）が、このフラグは、ニュース速報を検知した後、例えば１分で落ちる（オフ）よう、カウンタ（図示せず）にて制御する。一方フラグが立っている間（オン）に、再びニュース速報を検知（つまり第２画面目の速報）すると、上記カウンタはクリアされる。
【００６３】
かくして、文字情報が第２画面→第３画面→…と更新される都度タイムリーに、ユーザにニュース速報等を提供することができる。
〔実施例５〕
【００６４】
図１１は本発明に基づく実施例５を示す図である。
【００６５】
本図において注目すべき点は、読出し未了検出手段４１が導入されると共に、該手段４１に各記憶装置２１からのエンプティ・フラグＦｅが入力されることである。
【００６６】
すなわち本実施例５においては、複数の記憶装置２１内において、読出し未了の静止画像が残留しているときに、この残留をエンプティ・フラグＦｅにより検出する読出し未了検出手段４１を有し、切替え部１５はその読出し未了となっている記憶装置より当該静止画像の読出しを続行させることを特徴とするものである。なお、読出し未了の静止画像に対する読出し続行は、車両が停車中であると判断する都度実行するようにする。
【００６７】
図１２は実施例５での走行中および停車中における動作例を示すフローチャートである。
【００６８】
本図において、
ステップＳ１：当該車両が停車中か否か、例えば図１１の車速センサ２３Ｖの出力によって、判断する。
【００６９】
ステップＳ２：その判断結果がＮｏならば当該車両は走行中であり、切替え部１５にて所定の間隔Ｔａで静止画像の切替えを行う。
【００７０】
ステップＳ３：上記Ｓ１の判断結果がＹｅｓならば当該車両は停車中である。そこで記憶装置２１内に未表示（すなわち読出し未了）の静止画像があるか否か判断する。
【００７１】
ステップＳ４：その判断結果がＹｅｓであると、記憶装置２１に未表示のまま保存されている静止画像が残っているその記憶装置から、切替え部１５にて所定の間隔Ｔｂでその残留する静止画像を排出していく（この様子は図１３参照）。なお、この間隔Ｔｂと上述の間隔Ｔａ（Ｓ２）との関係は、
Ｔａ＞＞Ｔｂ
とする。なぜなら、間隔Ｔｂは車両の停車中に静止画像を切り替えていく間隔（更新タイミング）であるから、走行中の切替え間隔（更新タイミング）よりも遥かに小さいもの（早いタイミング）とすることが、安全運転に鑑み可能だからである。
【００７２】
ステップＳ５：上記Ｓ３の判断結果がＮｏならば、記憶装置２１に残留する静止画像はないから、また当該車両は停車中であるから、ユーザは通常のＴＶ画像（Ｓｔｖ）によるテレビジョン放送をＴＶ画面１８上で楽しむことができる。
【００７３】
なお、上記ステップＳ１〜Ｓ５において、選択スイッチ２５は、静止画像更新タイミング生成部２２からの指令Ｉ（図１１）により、そのＣ端子から下記のように画像信号を送出する。ただし本実施例５において、記憶装置２１はＦＩＦＯ（First In First Out）から構成するものとし、前述のエンプティ・フラグＦｅはこのＦＩＦＯが「空」のときに出力されるものとする。
【００７４】
・停車中かつＦＩＦＯが「空」の時：
ＴＶ映像を表示する（ａ端子を選択）
・停車中かつＦＩＦＯが「空」でない時：
取込み画像を連続表示する（ｂ端子を選択）
・走行中：取込み画像を表示する（ｂ端子を選択）
図１３は実施例５における停車後の静止画像読出し動作例を示すタイミングチャートである。
【００７５】
本図の１）欄は、記憶装置群（２１）を構成する前述のＦＩＦＯの状態（「空」か／読出し未了か）を示し、同図２）欄は該ＦＩＦＯの上記エンプティ・フラグＦｅ（“１”／“０”）の論理を示し、３）欄は図１１の選択スイッチ２５のｃ端子から出力される画像の内容を示す。なお図１３の停車中状態に入る以前の、走行中でのタイミングチャートは例えば図３に示すとおりである。
【００７６】
本図の１）欄は上記ＦＩＦＯに残留する読出し未了の画像の内容を示す。本図の例によれば、図１１に示す複数の記憶装置２１が７段のＦＩＦＯで構成されており、静止画像を７枚分保持できるようになっている。
【００７７】
まず図１３の左上に示す「停車」にて当該車両が停止したものとする。この停車時点でＦＩＦＯのエンプティ・フラグＦｅは論理“０”、すなわち読出し未了の画像あり、ということになっており、選択スイッチ２５はｂ端子（図中の“ｂ”）を選択する。そして最初の読出し画像である「画像１」が、選択スイッチ２５のｃ端子からＴＶ画面１８に向けて出力される。
【００７８】
次に、例えば１０秒（図１３の最上段参照）間隔で、ＦＩＦＯの２段目、→３段目→…に切り替えていく。したがって、本図３）欄に示すとおり、１０秒毎に残留している「画像２」→「画像３」→…がＴＶ画面１８に向けて出力されていく。そして本図の例では、「画像５」をＦＩＦＯから排出したときに全ての静止画像が読み出され、ここでＦＩＦＯのエンプティ・フラグＦｅは論理“０”から“１”に変わる。この論理“１”をトリガとして、静止画像更新タイミング生成部２２からの前述した指令Ｉ（図１１）が選択スイッチの２５の接点をｂ端子からａ端子（図１３中の“ａ”）に切り替え、ＴＶチューナ１６からのＴＶ映像信号ＳｔｖがＴＶ画面１８に向けて送出され、ここに通常のＴＶ映像表示がなされる。なお、残留画像の読出し順は、上述した「画像１」→「画像２」→…の逆順、すなわち「画像５」→「画像４」→…としても構わない。後者の場合、より最新の情報から見直すことができる。
【００７９】
かくして実施例５によれば、記憶装置２１に保存された静止画像を、停車中の状態で、全て取りこぼしなくユーザに提供することができる。
【産業上の利用可能性】
【００８０】
車載用のテレビジョン表示装置であって、車両の走行中は静止画像を表示しその停車中はテレビジョン画像をそのまま表示するとき、特に安全運転という観点からその走行中における表示の仕方に改善を加えたい場合に本発明を有効に利用することができる。
【図面の簡単な説明】
【００８１】
【図１】本発明に係るＴＶ表示装置の基本構成を示す図である。
【図２】本発明に基づく実施例１を示す図である。
【図３】実施例１における静止画像更新タイミングの動作例を示すタイミングチャートである。
【図４】静止画像更新間隔の一例を示すテーブルである。
【図５】本発明に基づく実施例２を示す図である。
【図６】実施例２における静止画像の更新ならびに取込みタイミングの動作例を示すタイミングチャートである。
【図７】本発明に基づく実施例３を示す図である。
【図８】実施例３における静止画像の更新ならびに取込みタイミングの動作例を示すタイミングチャートである。
【図９】本発明に基づく実施例４を示す図である。
【図１０】実施例４における静止画像の更新ならびに取込みタイミングの動作例を示すタイミングチャートである。
【図１１】本発明に基づく実施例５を示す図である。
【図１２】実施例５での走行中および停車中における動作例を示すフローチャートである。
【図１３】実施例５における停車後の静止画像読出し動作例を示すタイミングチャートである。
【符号の説明】
【００８２】
１０…テレビジョン（ＴＶ）表示装置
１１…記憶手段
１２…更新タイミング設定手段
１３…センサ手段
１４…取込みタイミング設定手段
１５…切替え部
１６…チューナ
１８…テレビジョン（ＴＶ）画面
２１…記憶装置
２２…静止画像更新タイミング生成部
２３−Ｖ…速度センサ
２３−Ａ…加速度センサ
２４…静止画像取込みタイミング生成部
２５…選択スイッチ
３１…文字情報認識部
３２…差分算出手段
４１…読出し未了検出手段
【図１】
2005303636.tif 000003
【図２】
2005303636.tif 000004
【図３】
2005303636.tif 000005
【図４】
2005303636.tif 000006
【図５】
2005303636.tif 000007
【図６】
2005303636.tif 000008
【図７】
2005303636.tif 000009
【図８】
2005303636.tif 000010
【図９】
2005303636.tif 000011
【図１０】
2005303636.tif 000012
【図１１】
2005303636.tif 000013
【図１２】
2005303636.tif 000014
【図１３】
2005303636.tif 000015